(57)【要約】【課題】従来の落石防護ネットを用いた落石処理方法を改良する。【解決手段】落石防護ネットを用いて山岳・岸壁等の危険道路地帯における落石処理において、２本の固定板に各々数個の滑車を取付けかつ該滑車に１本のワイヤーロープを巻装し、更に前記固定板の一端に固定用ワイヤーロープを固定しかつ他端に筒体を装着して成る処理用補助具本体を設け、該処理用補助本体を落石危険個所に固定してワイヤーロープの先端を引張りながら落石処理することを特徴とする山岳・岸壁等の危険道路地帯における落石処理方法とその落石処理用補助具の提供。【選択図】　図１
2004052487.tif 000002
【特許請求の範囲】
【請求項１】
落石防護ネットを用いて山岳・岸壁等の危険道路地帯における落石処理方法において、前記落石防護ネットの上方部を手動操作により引張りながら被落石を落石防護ネットの内側に徐々に地面に落下させて処理することを特徴とする山岳・岸壁等の危険道路地帯における落石処理方法。
【請求項２】
前項の落石処理方法おいて、落石防護ネットを引張るのに滑車に着装されたワイヤーロープを介して作動する請求項１記載の山岳・岸壁等の危険道路地帯における落石処理方法。
【請求項３】
落石防護ネットを用いて山岳・岸壁等の危険道路地帯における落石処理において、２本の固定板に各々数個の滑車を取付けかつ該滑車に１本のワイヤーロープを巻装し、更に前記固定板の一端に固定用ワイヤーロープを固定しかつ他端に筒体を装着して成る処理用補助具本体を設け、該処理用補助本体を落石危険個所に固定してワイヤーロープの先端を引張りながら落石処理することを特徴とする山岳・岸壁等の危険道路地帯における落石処理用補助具。
【請求項４】
請求項３記載の落石処理用補助具において、固定板に固定されている筒体側のワイヤーロープの先端に係止用フックを取付け、かつ他端のワイヤーロープの先端にねじれ防止金具を取付けて成る請求項３記載の山岳・岸壁等の危険道路地帯における落石処理用補助具。
【請求項５】
請求項３記載の落石処理用補助具において、処理用補助具本体の係止用フックを落石防護ネットの上方部に係止しかつ固定用ワイヤーロープをガードレール等の固定材に装着して成る請求項３及び４記載の山岳・岸壁等の危険道路地帯における落石処理用補助具。
【請求項６】
請求項５記載のように構成された落石処理用補助具であって、ワイヤーロープ引張部を１人の作業員で徐々に手前方向に引張りながら下方部が固定されている落石防護ネットの上方部を徐々に広げて被落石を落石防護ネットの内側に落下処理することを特徴とする山岳・岸壁等危険道路地帯における落石処理方法。
【発明の詳細な説明】
【０００１】
【発明の属する技術分野】
本発明は、落石防護ネットを用いて山岳・岸壁等の危険道路地帯における落石処理方法とその処理用補助具に関するものである。
【０００２】
【従来の技術】
山岳・岸壁等の危険道路地帯における落石処理方法としては、被落石部分の傾斜面に落石防護ネットを張設してガードレール等の路面に落下させて処理するのが一般的である。この従来の処理方法の場合、例えば山岳道路の斜面には落石等に備え防護ネットが設置されているが、落石防護ネットに挟まった落石や倒木が道路まで落下する前に取り除いて事故を未然に防ぐ必要がある。しかし、落石防護ネットは非常にきつく張ってあるために落石等の除去には４〜５人の力と長い作業時間を要し極めて困難な作業である。特に、高い所に挟まっている場合はその箇所まで登り作業をせざるをえず非常に危険である。
【０００３】
更に、図４により従来の処理方法について説明すれば、まず落石防護ネット２０にはさまれている落石Ａの場所に行き、処理専用の梯子を用いて４〜５人位の作業員Ｗが落石Ａのところまで登って行き、作業員全員でもってネットを引っぱりながら徐々に下の方に落下させていた。このような処理方法は、東京都における道路管理だけではなく民間の道路や岸壁などの落石処理管理でも行われており、このような道路等の安全管理面からも多くの問題が生じている。
【０００４】
【発明が解決しようとする課題】
かかる従来方法の問題点を解消するところに本発明が解決しようとする課題を有する。すなわち、本発明が解決しようとする課題は従来４〜５人の力を必要としていた作業を１人で迅速かつ簡単にできるようにすることと、ネットから離れた場所から作業ができるようにすることと、高い所に挟まっている場合でも地上から作業ができるようにするところにある。
【０００５】
【課題を解決するための手段】
本発明は上記の如き課題を解決するために開発したものであって、落石防護ネットを用いて山岳・岸壁等の危険道路地帯における落石処理方法において前記落石防護ネットの上方部を手動操作により引張りながら被落石を落石防護ネットの内側に徐々に地面に落下させて処理することを特徴とする山岳・岸壁等の危険道路地帯における落石処理方法の提供にあり、また前記の落石処理方法おいて落石防護ネットを引張るのに滑車に着装されたワイヤーロープを介して作動する山岳・岸壁等の危険道路地帯における落石処理方法の提供にある。
【０００６】
更に本発明は、落石防護ネットを用いて山岳・岸壁等の危険道路地帯における落石処理において２本の固定板に各々数個の滑車を取付けかつ該滑車に１本のワイヤーロープを巻装し更に前記固定板の一端に固定用ワイヤーロープを固定しかつ他端に筒体を装着して成る処理用補助具本体を設け、該処理用補助本体を落石危険個所に固定してワイヤーロープの先端を引張りながら落石処理することを特徴とする山岳・岸壁等の危険道路地帯における落石処理用補助具の提供にあり、また前記の落石処理用補助具において固定板に固定されている筒体側のワイヤーロープの先端に係止用フックを取付け、かつ他端のワイヤーロープの先端にねじれ防止金具を取付けて成る山岳・岸壁等の危険道路地帯における落石処理用補助具の提供にあり、また前記の落石処理用補助具において処理用補助具本体の係止用フックを落石防護ネットの上方部に係止しかつ固定用ワイヤーロープをガードレール等の固定材に装着して成る山岳・岸壁等の危険道路地帯における落石処理用補助具の提供にある。
【０００７】
更に本発明は、前記のように構成された落石処理用補助具であってワイヤーロープ引張部を１人の作業員で徐々に手前方向に引張りながら下方部が固定されている落石防護ネットの上方部を徐々に広げて被落石を落石防護ネットの内側に落下処理することを特徴とする山岳・岸壁等危険道路地帯における落石処理方法の提供にある。
【０００８】
【発明の実施の形態】
本発明の実施形態は、落石防護ネットを用いて山岳・岸壁等の危険道路地帯における落石処理方法において前記落石防護ネットの上方部を手動操作により引張りながら被落石を落石防護ネットの内側に徐々に地面に落下させて処理することを特徴とする山岳・岸壁等の危険道路地帯における落石処理方法であり、また前記の落石処理方法おいて落石防護ネットを引張るのに滑車に着装されたワイヤーロープを介して作動する山岳・岸壁等の危険道路地帯における落石処理方法であり、更に前記のように構成された落石処理用補助具であってワイヤーロープ引張部を１人の作業員で徐々に手前方向に引張りながら下方部が固定されている落石防護ネットの上方部を徐々に広げて被落石を落石防護ネットの内側に落下処理することを特徴とする山岳・岸壁等危険道路地帯における落石処理方法であるから、従来４〜５人程度の作業員が２０〜３０分位かかっていた落石処理を１人の作業員でしかも４〜５分程度で処理することが可能となり、更にネットによじ登って作業する必要もなく地上から離れた場所で安全に作業することができる。このように、従来方法よりも効率性と安全性を保持し向上させることができるようになった。
【０００９】
また本発明の実施形態は、落石防護ネットを用いて山岳・岸壁等の危険道路地帯における落石処理において２本の固定板に各々数個の滑車を取付けかつ該滑車に１本のワイヤーロープを巻装し更に前記固定板の一端に固定用ワイヤーロープを固定しかつ他端に筒体を装着して成る処理用補助具本体を設け、該処理用補助本体を落石危険個所に固定してワイヤーロープの先端を引張りながら落石処理することを特徴とする山岳・岸壁等の危険道路地帯における落石処理用補助具であり、また前記の落石処理用補助具において固定板に固定されている筒体側のワイヤーロープの先端に係止用フックを取付けかつ他端のワイヤーロープの先端にねじれ防止金具を取付けて成る山岳・岸壁等の危険道路地帯における落石処理用補助具であり、また前記の落石処理用補助具において処理用補助具本体の係止用フックを落石防護ネットの上方部に係止しかつ固定用ワイヤーロープをガードレール等の固定材に装着して成る山岳・岸壁等の危険道路地帯における落石処理用補助具であるから、落石防護ネットにフックの先端を掛けて滑車の力を利用することによってネットに挟まっている落石を簡単容易に除去することができる。
【００１０】
【実施例】
以下、図面によって本発明の実施例について説明する。
【００１１】
図１と図２は本発明による山岳・岸壁等の危険道路地帯における落石処理方法とその落石処理用具を示したものであり、１その処理用補助具本体である。この処理用補助具本体１は、図２に示すように２板の固定板２、２に数個の滑車３を装着しかつこの滑車３に１本のワイヤーロープ４が装着され、更に固定板３、３を係止用フック７、７を介して両端の固定用ワイヤロープ８、８に係止されている。
【００１２】
次に、図１により落石処理用補助具の配設状態を説明すれば、まずあらかじめセットされている本発明の処理用補助具本体１を落石処現場に持ち込み、作業員が筒体１を持ち上げて係止用フック７を落石防護ネット１０に引っかけ、一方固定用ワイヤーロープ８をガイドレールバー１１に装着する。このように処理用補助具本体１を道路Ｂ間の傾斜壁面Ｆとガイドレールバー１１とに装着したならば、ワイヤーロープ引張部９を作業員Ｗが両手でもって、徐々に手前方向に引っぱって落石防護ネット１０を手前方向に引っぱれば落石Ａを矢印方向に落下させることができる。その際、ワイヤーロープ４は滑車３の原理によって小さな引つり力によって強固に張り付けられている落石防護ネット１０を１人の作業員Ｗにより簡単容易に引っぱることができる。なお、６はワイヤーロープのねじれ防止金具、１２はガイドレール、Ｃは排水溝、Ｄはアンカー基礎及びＥは工事標識板である。
【００１３】
更に図３により、本発明の落石処理具を用いて落石を処理する方法について説明すれば、まず図３の（ａ）のように作業員Ｗが道路Ｂからワイヤーロープ４が装着されている筒体５を持ち上げて係止用フック７を落石Ａが引っかかっている落石防護ネット１０のところに引きつけ、一方他端の係止用フック７を固定板２に係止する。ついで、図３の（ｂ）のように固定用ワイヤーロープ８の係止用フック７を固定板２に係止し、更に他端の係止用フック７をガイドレールバー１１に装着する。このように処理用補助具本体１を道路Ｂ上にセットされたならば、ワイヤーロープ用ドラム１３に着装されているワイヤーロープ引張部９を作業員Ｗが両手で持って引っぱれば、落石Ａを押さえつけている傾斜壁面Ｆの落石Ａが斜面をころげ落ちるようにして排水溝Ｃ側の道路Ｂへと徐々に落下されることになる。
【００１４】
【発明の効果】
本発明は、落石防護ネットを用いて山岳・岸壁等の危険道路地帯における落石処理方法において前記落石防護ネットの上方部を手動操作により引張りながら被落石を落石防護ネットの内側に徐々に地面に落下させて処理することを特徴とする山岳・岸壁等の危険道路地帯における落石処理方法であり、また前記の落石処理方法おいて落石防護ネットを引張るのに滑車に着装されたワイヤーロープを介して作動する山岳・岸壁等の危険道路地帯における落石処理方法であり、また前記のように構成された落石処理用補助具であってワイヤーロープ引張部を１人の作業員で徐々に手前方向に引張りながら下方部が固定されている落石防護ネットの上方部を徐々に広げて被落石を落石防護ネットの内側に落下処理することを特徴とする山岳・岸壁等危険道路地帯における落石処理方法である。
【００１５】
また本発明は、落石防護ネットを用いて山岳・岸壁等の危険道路地帯における落石処理において２本の固定板に各々数個の滑車を取付けかつ該滑車に１本のワイヤーロープを巻装し更に前記固定板の一端に固定用ワイヤーロープを固定しかつ他端に筒体を装着して成る処理用補助具本体を設け、該処理用補助本体を落石危険個所に固定してワイヤーロープの先端を引張りながら落石処理することを特徴とする山岳・岸壁等の危険道路地帯における落石処理用補助具であり、また前記の落石処理用補助具において固定板に固定されている筒体側のワイヤーロープの先端に係止用フックを取付けかつ他端のワイヤーロープの先端にねじれ防止金具を取付けて成る山岳・岸壁等の危険道路地帯における落石処理用補助具であり、更に前記の落石処理用補助具において処理用補助具本体の係止用フックを落石防護ネットの上方部に係止しかつ固定用ワイヤーロープをガードレール等の固定材に装着して成る山岳・岸壁等の危険道路地帯における落石処理用補助具である。従って、本発明は次のような多くの効果を有する。
ア、本発明は、滑車・ワイヤーロープ・アルミ製パイプ等の落石処理用補助具を用いるので、落石防護ネットにフックの先端を掛けて滑車の力を利用することによりネットに挟まっている落石等を簡単容易に除去することができる。
イ、また落石防護ネットに挟まっている落石等を除去するためには、従来方法ではネットを非常にきつく張ってあるために４〜５人の力と長い作業時間を必要とし極めて困難な作業であった。特に、高い所に挟まっている場合は、その箇所まで登り作業をせざるをえず非常に危険であったが、本発明方法によれば一人でも速やかにできしかもネットによじ登って作業することもなく地上から離れた場所で安全に作業ができるので、効率性と安全性を格段に向上させることが可能となった。
ウ、なお、本発明方法に使用される落石処理用補助具が安価な素材で簡単に製作することができるので低コストで量産が可能である。その結果、実用性はもとより経済性にも優れた用具を提供することができる。
【図面の簡単な説明】
【図１】本発明の落石処理方法を示した説明概要図。
【図２】図１に使用される落石処理用補助具を示した拡大説明図。
【図３】本発明の落石処理作業方法を示した説明概要図。
【図４】従来の落石処理方法を示した説明概要図。
【符号の説明】
１　処理用補助具本体　　　　２　固定板
３　滑車　　　　　　　　　　４　ワイヤーロープ
５　筒体　　　　　　　　　　６　ねじれ防止金具
７　係止用フック　　　　　　８　固定用ワイヤーロープ
９　ワイヤーロープ引張部　　１０、２０　落石防護ネット
１１　ガイドレールバー　　　１２　ガイドレール
１３　ワイヤーロープ用ドラム
Ａ　落石　　　　　　　　　　Ｂ　道路
Ｃ　排水溝　　　　　　　　　Ｄ　アンカー基礎
Ｅ　工事標識板　　　　　　　Ｆ　傾斜壁面
【図１】
2004052487.tif 000003
【図２】
2004052487.tif 000004
【図３】
2004052487.tif 000005
【図４】
2004052487.tif 000006